(57)【要約】【課題】スライドファスナーの開閉作業と袋状体に対する洗濯物の出し入れとが容易であり、スライドファスナーにおけるスライダーのプルタブが袋状体から外方に突出せず、洗濯槽内における洗濯ネットの著しい変形を防止するようにした洗濯ネットを提供する。【解決手段】網製の袋状体１に開口部３を備えさせ、該開口部をスライドファスナー５により開閉自在としてなる洗濯ネットにおいて、該開口部は該袋状体の上端縁１ａに備えさせ、該開口部には該スライドファスナーを略直線状に配設し、該スライドファスナーにおけるスライダー１１のプルタブ１３が該袋状体から外方に突出しないようになし、該袋状体は自立性を有し、かつ、底部２５に形状保持手段を備えていることを特徴とする洗濯ネット。【選択図】図１
0003175938.tif 000002
【実用新案登録請求の範囲】
【請求項１】
網製の袋状体に開口部を備えさせ、該開口部をスライドファスナーにより開閉自在としてなる洗濯ネットにおいて、
該開口部は該袋状体の上端縁に備えさせ、該開口部には該スライドファスナーを略直線状に配設し、該スライドファスナーにおけるスライダーのプルタブが該袋状体から外方に突出しないようになし、
該袋状体は自立性を有し、かつ、底部に形状保持手段を備えていることを特徴とする洗濯ネット。
【請求項２】
前記袋状体は、側面にカラーベルトを備えていることを特徴とする請求項１に記載の洗濯ネット。
【考案の詳細な説明】
【技術分野】
【０００１】
本考案は、衣類を洗濯機により洗濯する際に該衣類を収納する洗濯ネットに関するものであり、更に詳しくは、洗濯中における衣類に対する糸くず等の付着、衣類の損傷等を防止するために該衣類を内部に収納した状態で洗濯槽内に投入される洗濯ネットに係るものである。
【背景技術】
【０００２】
洗濯ネットとしては、例えば特開平１１−１１４２７９号公報に示すように、網製の袋状体に開口部を備えさせ、該開口部をスライドファスナーにより開閉自在としてなるもの（以下「従来の洗濯ネット」という。）が既に知られている。
【先行技術文献】
【特許文献】
【０００３】
【特許文献１】特開平１１−１１４２７９号公報
【考案の概要】
【考案が解決しようとする課題】
【０００４】
しかるに、上記従来の洗濯ネットにおいては、次のような問題が生ずる。
【０００５】
（イ）開口部が袋状体の側面に形成されているため、スライドファスナーの開閉作業と該袋状体に対する洗濯物の出し入れが容易ではない。
【０００６】
（ロ）スライドファスナーにおけるスライダーのプルタブが袋状体から常時外方に突出しているため、該プルタブが洗濯槽の内面に当接して不快音を発すると共に該プルタブが他の洗濯物ないし他の洗濯ネットに絡みついて当以外他の洗濯物ないし洗濯ネットを損傷するおそれがある。
【０００７】
（ハ）洗濯槽内において洗濯ネットが著しく変形するため、特に女性用下着等の場合、形崩れを引き起こすおそれがある。
【０００８】
本考案は、上記従来の洗濯ネットにおける上述の如き問題を解決し、スライドファスナーの開閉作業と袋状体に対する洗濯物の出し入れとが容易であり、スライドファスナーにおけるスライダーのプルタブが袋状体から外方に突出せず、洗濯槽内における洗濯ネットの著しい変形を防止するようにした洗濯ネットを提供しようとしてなされたものである。
【課題を解決するための手段】
【０００９】
上記課題を解決するために、本考案は、下記の洗濯ネットを提供するものである。
【００１０】
（１）網製の袋状体に開口部を備えさせ、該開口部をスライドファスナーにより開閉自在としてなる洗濯ネットにおいて、
該開口部は該袋状体の上端縁に備えさせ、該開口部には該スライドファスナーを略直線状に配設し、該スライドファスナーにおけるスライダーのプルタブが該袋状体から外方に突出しないようになし、
該袋状体は自立性を有し、かつ、底部に形状保持手段を備えていることを特徴とする洗濯ネット（請求項１）。
【００１１】
（２）前記袋状体は、側面にカラーベルトを備えている（請求項２）。
【考案の効果】
【００１２】
［請求項１の考案］
開口部を袋状体の上端縁に備えさせ、該開口部にはスライドファスナーを略直線状に配設しているため、スライドファスナーの開閉作業が容易であり、スライドファスナーの全開作業ないし全閉作業を一挙におこなうことができる。また、該袋状体に対する洗濯物の出し入れも極めて容易である。
【００１３】
スライドファスナーにおけるスライダーのプルタブが袋状体から外方に突出しないようにしているため、該プルタブが洗濯槽の内面に当接して不快音を発するという問題と、該プルタブが他の洗濯物ないし他の洗濯ネットに絡みついて当以外他の洗濯物ないし洗濯ネットを損傷するおそれが生ずるという問題が解消する。
【００１４】
袋状体は自立性を有するため、該袋状体に対する洗濯物の出し入れが一層容易になる。
【００１５】
袋状体は底部に形状保持手段を備えているため、該袋状体は洗濯槽内において所定の形状を保持する。したがって、洗濯物を収納した洗濯ネットは洗濯槽内において変形するおそれがなく、特に女性用下着等の洗濯物が洗濯層内において形崩れを生ずるおそれも解消する。
【００１６】
［請求項２の考案］
袋状体は、側面にカラーベルトを備えているため、該カラーベルトの色により、袋状体内に収納される洗濯物を区別することができる。
【図面の簡単な説明】
【００１７】
【図１】図１は、本考案による洗濯ネットの一例を示す斜視図である。
【図２】図２は、スライドファスナーにおけるスライダーのプルタブが袋状体から外方に突出しないようにした状態の一例を示す断面図である。
【図３】図３は、図１のＩＩＩ−ＩＩＩ線における断面図である。
【図４】図４は、別の洗濯ネットにおける図３と同様の断面図である。
【図５】図５は、洗濯物を収納した洗濯ネットが底部を上にして洗濯槽内に浮いている状態を示す正面図である。
【図６】図６は、図５のＶＩ−ＶＩ線における断面図である。
【考案を実施するための形態】
【００１８】
本考案の洗濯ネットは、網製の袋状体１に開口部３を備えさせ、該開口部３をスライドファスナー５により開閉自在としてなる点において、上記従来の洗濯ネットと共通する。袋状体１は、例えばポリエステル、ナイロン等の網により形成される。
【００１９】
次に、本考案の洗濯ネットが上記従来の洗濯ネットと異なる点について説明する。
【００２０】
前記開口部３は袋状体１の上端縁１ａに備えさせる。
【００２１】
開口部３にはスライドファスナー５を略直線状に配設する。すなわち、スライドファスナー５の結合要素（歯部）７、９が相互に結合してスライドファスナー５により開口部３が閉じられたときに、該結合要素７、９が略直線状になるようにする。
【００２２】
スライドファスナー５におけるスライダー１１のプルタブ１３が袋状体１から外方に突出しないようになす。すなわち、一例として図２、図１に示すように、プルタブ１３をスライダー１１に対し直立させたときでも、該プルタブ１３の最上端１３ａが袋状体１の上端縁１ａよりも低くなるようになす。該プルタブ１３は、必ずしもスライドファスナー５の全長にわたって袋状体１から外方に突出しないようになす必要はなく、少なくとも該スライドファスナー５を全閉したときに袋状体１から外方に突出しないようにすれば足りる。符号１５、１７に示すものは、ファスナーテープである。なお、図示の事例においては、プルタブ１３の最上端１３ａ附近に紐体１９が取り付けられている。
【００２３】
袋状体１は自立性を有する。袋状体１に自立性を与えるために、例えば、袋状体１は内外二重の網体２１、２３を相互に密着させてなるものとする。内側の網体２１は、好ましくは、外側の網体２３よりも網目が小さい。更に、袋状体１に自立性を与えるために、例えば、袋状体１の内面における底部２５から袋状体１の上端縁１ａに至る柱状部２７を取り付ける。
【００２４】
袋状体１は、底部２５に形状保持手段２９を備えている。該形状保持手段２９は、好ましくは、浮き体を兼ねている。該形状保持手段２９が浮き体を兼ねているときには、洗濯物を収納した洗濯ネットは洗濯槽内において上下方向に激しく転動するおそれがなく、特に女性用下着等の洗濯物が洗濯層内において形崩れを生ずるおそれも解消する。図１、図３に示す浮き体を兼ねた形状保持手段２９は、発泡材よりなる円板状体である。図４に示す浮き体を兼ねた形状保持手段２９は、軽量の略環状紐状体である。
【００２５】
前記袋状体１は、側面にカラーベルト３１を備えている。カラーベルト３１は、その色により、袋状体１内に収納される洗濯物３３を区別することができるようにするものであって、例えば、ある種の下着については、赤色のカラーベルト３１とし、別の種の下着については、緑色のカラーベルト３１とする。なお、符号３５、３７に示すものは、袋状体１に取り付けた取っ手である。
【符号の説明】
【００２６】
１  袋状体
１ａ  上端縁
３  開口部
５  スライドファスナー
７  結合要素７
９  結合要素
１１  スライダー
１３  プルタブ
１３ａ  最上端
１５  ファスナーテープ
１７  ファスナーテープ
１９  紐体
２１  網体
２３  網体
２５  底部
２７  柱状部
２９  形状保持手段
３１  カラーベルト
３３  洗濯物
３５  取っ手
３７  取っ手
【図１】
0003175938.tif 000003
【図２】
0003175938.tif 000004
【図３】
0003175938.tif 000005
【図４】
0003175938.tif 000006
【図５】
0003175938.tif 000007
【図６】
0003175938.tif 000008